【手続補正書】
【提出日】平成23年11月30日(2011.11.30)
【手続補正１】
【補正対象書類名】明細書
【補正対象項目名】発明の名称
【補正方法】変更
【補正の内容】
【発明の名称】カメラ
【手続補正２】
【補正対象書類名】明細書
【補正対象項目名】０００１
【補正方法】変更
【補正の内容】
【０００１】
本発明は一般的に写真用カメラあるいはビデオカメラの制御に関する。特に、アナログ式あるいはデジタル式のスチルカメラおよびビデオカメラのビューファインダもしくは画像ディスプレイ領域内における、フォーカス、露出、ホワイトバランス、あるいはその他の任意のカメラ自動制御の選択に関し、カメラのビューファインダ上に表示された画像中の複数の測定ポイントを用いて撮像条件を制御するカメラに関する。
【手続補正３】
【補正対象書類名】明細書
【補正対象項目名】０００８
【補正方法】変更
【補正の内容】
【０００８】
本発明は、スチルカメラおよびビデオカメラに組み込まれた、撮像条件の設定のための、フォーカスポイント選択、測光領域選択、ホワイトバランス領域選択、およびその他の任意の評価、測定機能のための従来技術に関する上述およびその他の問題点の１つまたは複数を実質的に取り除くカメラを対象とする。
【手続補正４】
【補正対象書類名】明細書
【補正対象項目名】０００９
【補正方法】変更
【補正の内容】
【０００９】
本発明の第１の態様によれば、撮像手段と、前記撮像手段で撮像された画像を表示するスクリーンと、第１の時間に、前記スクリーン上に表示された画像の第１の測定ポイントの手動選択を受け付けるか、あるいは、画像分析手段によって前記スクリーン上に表示された画像の前記第１の測定ポイントを自動的に決定する手段と、第２の時間に、前記スクリーン上に表示された画像の第２の測定ポイントの手動選択を受け付ける手段と、第３の時間に、前記第１の測定ポイントおよび前記第２の測定ポイントに対応する前記カメラによる撮像条件に基づいて前記撮像手段を制御して撮像を行う撮像制御手段と、を含むカメラが提供される。
【手続補正５】
【補正対象書類名】明細書
【補正対象項目名】００１０
【補正方法】変更
【補正の内容】
【００１０】
本発明の第２の態様によれば、本発明の第１の態様において、前記スクリーン上に表示された画像の前記第１の測定ポイントおよび前記第２の測定ポイントが、所定のハードコードされたポイントから選択されてもよい。
【手続補正６】
【補正対象書類名】明細書
【補正対象項目名】００１１
【補正方法】変更
【補正の内容】
【００１１】
本発明の第３の態様によれば、本発明の第１の態様において、前記スクリーンがタッチセンサを含み、前記第１の測定ポイントあるいは前記第２の測定ポイントが前記スクリーンにユーザが触れることにより選択されてもよい。
【手続補正７】
【補正対象書類名】明細書
【補正対象項目名】００１２
【補正方法】変更
【補正の内容】
【００１２】
本発明の第４の態様によれば、本発明の第１の態様において、前記カメラが更にマルチロックボタンを備え、前記第１の測定ポイントおよび前記第２の測定ポイントが、ユーザが前記マルチロックボタンを動作させることによって選択されてもよい。
【手続補正８】
【補正対象書類名】明細書
【補正対象項目名】００１３
【補正方法】変更
【補正の内容】
【００１３】
本発明の第５の態様によれば、本発明の第１の態様において、前記撮像手段は自動フォーカス手段を更に備え、前記自動フォーカス手段が、前記第１および第２の測定ポイントの平均の距離を、前記カメラのフォーカス距離を自動的に調節し、前記第１及び第２の測定ポイントの両者にフォーカスするような被写界深度になるように、前記自動フォーカス手段が、前記フォーカス距離にしたがって、前記カメラの絞りを自動的に調節してもよい。
【手続補正９】
【補正対象書類名】明細書
【補正対象項目名】００１４
【補正方法】変更
【補正の内容】
【００１４】
本発明の第６の態様によれば、本発明の第１の態様において、前記撮像手段が測光手段を更に備え、前記測光手段が、前記第１および第２の測定ポイントのそれぞれにおいて検出される測光値の平均を用いて、前記カメラの露出を自動的に調節してもよい。
【手続補正１０】
【補正対象書類名】明細書
【補正対象項目名】００１５
【補正方法】変更
【補正の内容】
【００１５】
本発明の第７の態様によれば、本発明の第１の態様において、前記撮像手段がホワイトバランス調整手段を更に備え、前記ホワイトバランス調節手段が、前記第１および第２の測定ポイントのそれぞれにおいて検出されるホワイトバランスにしたがって、前記カメラによって生成される像のホワイトバランスを自動的に調節してもよい。
【手続補正１１】
【補正対象書類名】明細書
【補正対象項目名】００１６
【補正方法】変更
【補正の内容】
【００１６】
本発明の第８の態様によれば、本発明の第１の態様において、前記第１の測定ポイントおよび前記第２の測定ポイントにおける被写体をその画像の特徴情報から追跡し、追跡した被写体に対して前記第３の時間における撮像条件を決定してもよい。
【手続補正１２】
【補正対象書類名】明細書
【補正対象項目名】００１７
【補正方法】変更
【補正の内容】
【００１７】
本発明の第９の態様によれば、撮像手段と、前記撮像手段により撮影された撮像を表示するスクリーンと、前記スクリーン上に表示された前記撮像の複数箇所の測定ポイントの少なくとも一つを前記ユーザから受け付けるための入力インタフェースと、前記複数箇所の測定ポイントに対応する撮像条件に関する情報を記憶し、前記複数箇所の測定ポイントの入力時以降の前記撮像手段による撮像時に、記憶された前記複数箇所の測定ポイントに対応する撮像条件に関する情報に基づいて、前記撮像手段を制御して撮像する撮像制御手段と、を備えるカメラが提供される。
【手続補正１３】
【補正対象書類名】明細書
【補正対象項目名】００２０
【補正方法】変更
【補正の内容】
【００２０】
本発明の第９の態様において、前記デバイスがカメラに含まれ、前記カメラはマルチロックボタンを含み、前記マルチロックボタンを動作させることによって前記選択ポイントが選択されてもよい。
【手続補正１４】
【補正対象書類名】明細書
【補正対象項目名】００２１
【補正方法】変更
【補正の内容】
【００２１】
本発明の第９の態様において、前記撮像手段が前記カメラの測光手段を備えてもよい。
【手続補正１５】
【補正対象書類名】明細書
【補正対象項目名】００２２
【補正方法】変更
【補正の内容】
【００２２】
本発明の第９の態様において、前記撮像手段が前記カメラのホワイトバランス調節手段を備えてもよい。
【手続補正１６】
【補正対象書類名】明細書
【補正対象項目名】００２３
【補正方法】変更
【補正の内容】
【００２３】
本発明の第９の態様において、前記撮像手段が前記カメラの自動フォーカス手段を備えてもよい。
【手続補正１７】
【補正対象書類名】特許請求の範囲
【補正対象項目名】全文
【補正方法】変更
【補正の内容】
【特許請求の範囲】
【請求項１】
撮像手段と、
前記撮像手段で撮像された画像を表示するスクリーンと、
第１の時間に、前記スクリーン上に表示された画像の第１の測定ポイントの手動選択を受け付けるか、あるいは、画像分析手段によって前記スクリーン上に表示された画像の前記第１の測定ポイントを自動的に決定する手段と、
第２の時間に、前記スクリーン上に表示された画像の第２の測定ポイントの手動選択を受け付ける手段と、
第３の時間に、前記第１の測定ポイントおよび前記第２の測定ポイントに対応する前記カメラによる撮像条件に基づいて前記撮像手段を制御して撮像を行う撮像制御手段と、
を含むカメラ。
【請求項２】
前記スクリーン上に表示された画像の前記第１の測定ポイントおよび前記第２の測定ポイントが、所定のハードコードされたポイントから選択される請求項１に記載のカメラ。
【請求項３】
前記スクリーンはタッチセンサを含み、前記第１の測定ポイントあるいは前記第２の測定ポイントが、前記スクリーンにユーザが触れることにより選択される、請求項１に記載のカメラ。
【請求項４】
更にマルチロックボタンを備え、前記第１の測定ポイントおよび前記第２の測定ポイントが、ユーザが前記マルチロックボタンを動作させることによって選択される、請求項１に記載のカメラ。
【請求項５】
前記撮像手段は自動フォーカス手段を更に備え、
前記自動フォーカス手段が、前記第１および第２の測定ポイントの平均の距離を、前記カメラのフォーカス距離として自動的に調節し、前記第１及び第２の測定ポイントの両者にフォーカスするような被写界深度になるように、前記カメラの絞りを自動的に調節する、請求項１に記載のカメラ。
【請求項６】
前記撮像手段が測光手段を更に備え、
前記測光手段が、前記第１および第２の測定ポイントのそれぞれにおいて検出される測光値の平均を用いて、前記カメラの露出を自動的に調節する請求項１に記載のカメラ。
【請求項７】
前記撮像手段がホワイトバランス調整手段を更に備え、
前記ホワイトバランス調節手段が、前記第１および第２の測定ポイントのそれぞれにおいて検出されるホワイトバランスにしたがって、前記カメラによって生成される像のホワイトバランスを自動的に調節する請求項１に記載のカメラ。
【請求項８】
撮像制御手段が更に、前記第１及び第２の測定ポイントにおける被写体をその画像の特徴情報から追跡し、追跡した被写体に対して前記第３の時間における撮像条件を決定する請求項１に記載のカメラ。
【請求項９】
撮像手段と、
前記撮像手段により撮影された撮像を表示するスクリーンと、
前記スクリーン上に表示された前記撮像の複数箇所の測定ポイントの少なくとも一つを前記ユーザから受け付けるための入力インタフェースと、
前記複数箇所の測定ポイントに対応する撮像条件に関する情報を記憶し、前記複数箇所の測定ポイントの入力時以降の前記撮像手段による撮像時に、記憶された前記複数箇所の測定ポイントに対応する撮像条件に関する情報に基づいて、前記撮像手段を制御して撮像する撮像制御手段と、
を備えるカメラ。
【請求項１０】
前記撮像手段は撮像内から自動的にフォーカス位置を検出する自動フォーカス手段を備え、前記複数箇所の測定ポイントの少なくとも一つが、前記自動フォーカスにより決定された自動フォーカス位置の中から選択される請求項９に記載のカメラ。
【請求項１１】
前記入力インタフェースがタッチセンサスクリーンを含み、前記ユーザが前記タッチセンサスクリーンに触れることによって前記複数箇所の測定ポイントの少なくとも一つが選択される請求項９に記載のカメラ。